(57)【要約】【課題】端子間に絶縁強度を確保しつつ温度上昇を抑えることが可能な電気コネクタを提供すること。【解決手段】第１コネクタ１００の電源端子部１０２における電源端子ユニット１０２−３と１０２−４との間には、貫通して外部に連通する間隙３０６が設けられる。第２コネクタ２００の電源端子部２０２における電源端子ユニット２０２−３と２０２−４と（それぞれ電源端子ユニット１０２−３及び１０２−０４に嵌合する）の間には、貫通して外部に連通する間隙であって間隙３０６に連通する間隙３１４が設けられる。【選択図】図３
2009064611.tif 000002
【特許請求の範囲】
【請求項１】
複数の第１端子の間に配置され、貫通して外部に連通する第１間隙が形成された絶縁壁、を備えた第１コネクタと、
前記複数の第１端子の各々に嵌合する第２端子の間に配置され、貫通して外部に連通しかつ前記第１間隙に連通する第２間隙が形成された絶縁壁、を備えた第２コネクタと、
を具備することを特徴とする電気コネクタ。
【請求項２】
前記第１コネクタの絶縁壁が、前記複数の第１端子を囲むハウジングにより構成され、
前記第２コネクタの絶縁壁が、前記複数の第２端子を囲むハウジングにより構成される、請求項１に記載の電気コネクタ。
【請求項３】
前記第１間隙が、前記第１端子を囲むハウジングの大きさに対応する大きさを有し、
前記第２間隙が、前記第２端子を囲むハウジングの大きさに対応する大きさを有する、請求項２に記載の電気コネクタ。
【請求項４】
前記第１コネクタが、前記複数の第１端子及び前記絶縁壁を保持しかつ所定の機器に係合する係止部が設けられた第１ホルダを備え、
前記第２コネクタが、前記複数の第２端子及び前記絶縁壁を保持しかつ所定の機器に係合する係止部が設けられた第２ホルダを備える、請求項１から請求項３のいずれかに記載の電気コネクタ。
【発明の詳細な説明】
【技術分野】
【０００１】
本発明は、電気コネクタに関し、特に電源用コネクタに関する。
【背景技術】
【０００２】
従来技術に係る電気コネクタとして、特開２００１−２４４０２９号公報（特許文献１）、特開平１０−１７２６４９号公報（特許文献２）及び特開平９−１０２３６２号公報（特許文献３）に開示されたものが知られている。
これらの公報に開示されている電気コネクタは、雄側コネクタ及び雌側コネクタにより構成される。雄側コネクタは、複数の雄側端子を収容するハウジングを有し、雌側コネクタは、これら複数の雄側端子の各々に嵌合する複数の雌側端子を収容するハウジングであって雄側コネクタのハウジングと係合するハウジングを有する。雄側コネクタのハウジングと雌側コネクタのハウジングとが係合したときに、複数の雄側端子と複数の雌側端子とがそれぞれ嵌合して電気的接触を確立するようになっている。
さらに、電気コネクタの雄側コネクタ及び雌側コネクタは、信号端子及び電源端子の各々について、上記のようなハウジングを有する。すなわち、雄側コネクタ（雌側コネクタ）は、複数の雄側信号端子（雌側信号端子）を収容するハウジングと複数の雄側電源端子（雌側電源端子）を収容するハウジングとを別々に有する。
【０００３】
かかる電気コネクタにあっては、各ハウジング内において雄側電源端子（雄側信号端子）と雌側電源端子（雌側信号端子）とが嵌合した状態において、各電源端子間（各信号端子間）に絶縁強度（耐電圧）を確保するために、各ハウジングは、各電源端子間（各信号端子間）に絶縁物を配置させてこれらの電源端子（信号端子）を収容する構成を採っている。
【０００４】
【特許文献１】特開２００１−２４４０２９号公報
【特許文献２】特開平１０−１７２６４９号公報
【特許文献３】特開平９−１０２３６２号公報
【発明の開示】
【発明が解決しようとする課題】
【０００５】
しかしながら、上記従来技術に係る電気コネクタにおいては、各電源端子及び各信号端子は、互いに係合した雄側ハウジングと雌側ハウジングとにより囲まれた領域内に配置される。さらには、かかる領域内において、各電源端子間及び各信号端子間には、絶縁強度を確保するための絶縁物が位置している。よって、各端子に流れる電流によって生ずる熱が各ハウジング内にこもるので、各ハウジング内の温度が上昇することになる。このようにハウジング内に生じた熱はまた、電気コネクタが取り付けられている機器内の温度をも上昇させうる。
このような問題は、特に、大電流を流す電源端子を収容するハウジングにおいて顕著となる。すなわち、この問題は、大きな電流を流す必要のある電気コネクタほど顕著となる。
本発明は、かかる問題点に鑑みてなされたものであり、端子間に絶縁強度を確保しつつ温度上昇を抑えることが可能な電気コネクタを提供することを目的とする。
【課題を解決するための手段】
【０００６】
本発明者らは、電気コネクタを構成する一方のコネクタにおいて、複数の第１端子の間に配置される絶縁壁に、貫通して外部に連通する第１間隙を設け、他方のコネクタにおいて、複数の第１端子の各々に嵌合する複数の第２端子の間に配置される絶縁壁に、貫通して外部に連通しかつ第１間隙に連通する第２間隙を設けることにより、第１端子及び第２端子により生じた熱を第１間隙又は第２間隙を介して外部に放出させることができるとともに、複数の第１端子（複数の第２端子）の間における絶縁強度をこれら第１端子（第２端子）の間に挟まれる第１間隙（第２間隙）に存在する空気によって高めることができる、ということを見出し、本発明をするに至った。
【０００７】
すなわち、本発明に係る電気コネクタは、複数の第１端子の間に配置され、貫通して外部に連通する第１間隙が形成された絶縁壁を備えた、第１コネクタと、前記複数の第１端子の各々に嵌合する第２端子の間に配置され、貫通して外部に連通しかつ前記第１間隙に連通する第２間隙が形成された絶縁壁を備えた、第２コネクタと、を具備することを特徴とする。
【発明の効果】
【０００８】
本発明によれば、電気コネクタを構成する一方のコネクタにおいて、複数の第１端子の間に配置される絶縁壁に、貫通して外部に連通する第１間隙が設けられ、他方のコネクタにおいて、複数の第１端子の各々に嵌合する複数の第２端子の間に配置される絶縁壁に、貫通して外部に連通しかつ第１間隙に連通する第２間隙が設けられる。これにより、端子間に絶縁強度を確保しつつ温度上昇を抑えることが可能な電気コネクタを提供することができる。
【発明を実施するための最良の形態】
【０００９】
以下、図面を参照して本発明を詳細に説明する。
【００１０】
本発明の一実施形態に係る電気コネクタは、第１コネクタ（雌側コネクタ）と、この第１コネクタに係合する第２コネクタ（雄側コネクタ）と、を含む。
図１は、本発明の一実施形態に係る電気コネクタに含まれる第１コネクタ（雌側コネクタ）の構成を示す斜視図である。図２は、本発明の一実施形態に係る電気コネクタに含まれる第２コネクタ（雄側コネクタ）の構成を示す斜視図である。
【００１１】
第１コネクタ１００は、図１に示すように、主に、板状の形状を有するホルダ１０１と、複数の電源端子ユニット（ここでは一例として４つの電源端子ユニット１０２−１〜１０２−４）を有する電源端子部１０２と、複数の信号端子を有する第１信号端子部１０３と、複数の信号端子を有する第２信号端子部（図示せず）と、により構成される。
ホルダ１０１は、電源端子部１０２を収容及び保持するハウジング１０１ａと、第１信号端子部１０３を収容及び保持するハウジング１０１ｂと、第２信号端子部を収容及び保持するハウジング１０１ｃと、所定の機器（図示せず）に係合して第１コネクタ１００をこの機器に取り付ける係止部１０１ｄと、を含む。
【００１２】
第２コネクタ２００は、図２に示すように、主に、板状の形状を有するホルダ２０１と、複数の電源端子ユニット（ここでは一例として４つの電源端子ユニット２０２−１〜２０２−４）を有する電源端子部２０２と、複数の信号端子を有する第１信号端子部２０３と、複数の信号端子部を有する第２信号端子部（図示せず）と、により構成される。
ホルダ２０１は、電源端子部２０２を収容及び保持するハウジング２０１ａと、第１信号端子２０３を収容及び保持するハウジング２０１ｂと、第２信号端子部を収容及び保持するハウジング２０１ｃと、第２コネクタ２００を所定の機器（図示せず）に取り付けるネジを通す穴（ここでは一例として穴２０１ｄ及び穴２０１ｅ）と、を含む。
【００１３】
第１コネクタ１００と第２コネクタ２００とが係合するときには、第１コネクタ１００のハウジング１０１ａと第２コネクタ２００のハウジング２０１ａとが係合し、第１コネクタ１００のハウジング１０１ｂと第２コネクタ２００のハウジング２０１ｂとが係合し、第１コネクタ１００のハウジング１０１ｃと第２コネクタ２００のハウジング２０１ｃとが係合する。このような係合状態において、第１コネクタ１００の第１信号端子部１０３（第２信号端子部）と第２コネクタ２００の第１信号端子部２０３（第２信号端子部）とが嵌合する。同様に、このような係合状態において、第１コネクタ１００の電源端子部１０２と第２コネクタ２００の電源端子部２０２とが嵌合して電気的に接続される。すなわち、第１コネクタ１００の電源端子ユニット１０２−１乃至電源端子ユニット１０２−４が、それぞれ、第２コネクタ２００の電源端子ユニット２０２−１乃至電源端子ユニット２０２−４と嵌合して電気的に接続される。
【００１４】
第１コネクタ１００の電源端子部１０２及び第２コネクタ２００の電源端子部２０２の具体的な構成について、図１及び図２に加えて、図３乃至図５を参照して説明する。
図３（ａ）は、図２のＡ−Ａ線に沿った第２コネクタ２００の断面を示す図であり、図３（ｂ）は、図１のＡ−Ａ線に沿った第１コネクタ１００の断面を示す図であり、図３（ｃ）は、互いに係合した第１コネクタ及び第２コネクタの断面であってそれぞれ図１及び図２のＡ−Ａ線に沿った断面を示す図である。
図４（ａ）は、図２のＢ−Ｂ線に沿った第２コネクタ２００の断面を示す図であり、図４（ｂ）は、図１のＢ−Ｂ線に沿った第１コネクタ１００の断面を示す図であり、図４（ｃ）は、互いに係合した第１コネクタ１００及び第２コネクタ２００の断面であってそれぞれ図１及び図２のＢ−Ｂ線に沿った断面を示す図である。
図５（ａ）は、図２のＣ−Ｃ線に沿った第２コネクタ２００の断面を示す図であり、図５（ｂ）は、図１のＣ−Ｃ線に沿った第１コネクタ１００の断面を示す図であり、図５（ｃ）は、互いに係合した第１コネクタ１００及び第２コネクタ２００の断面であってそれぞれ図１及び図２のＣ−Ｃ線に沿った断面を示す図である。
なお、図３乃至図５における図１又は図２と同一の構成要素に対しては、図１又は図２におけるものと同一の符号が付されている。
【００１５】
まず、第１コネクタ１００に着目すると、図３（ｂ）及び図５（ｂ）に示すように、電源端子部１０２における電源端子ユニット１０２−１〜電源端子ユニット１０２−４の各々は、一端（前端Ｋ）から他端（後端Ｌ）に延びる絶縁材料により形成された中空の端子保持部３０１と、この端子保持部３０１により保持及び収容される電源端子と、を含む。端子保持部３０１は、電源端子を囲むハウジングに相当する。各電源端子ユニットの電源端子は、幅広な接触部を有するコンタクト３０２と、このコンタクト３０２に設けられた弾性部３０３と、後端Ｌから端子保持部３０１の内部に入るケーブル（図示せず）をコンタクト３０２に機械的電気的に接続するカシメ部３０４と、を含む。各電源端子ユニットの端子保持部３０１には、前端Ｋにおいて、第２コネクタ２００の後述するコンタクト３１１を受け入れる開口部３０５が設けられている。
【００１６】
図４（ｂ）及び図５（ｂ）に示す（部分的に図１にも示す）ように、電源端子ユニット１０２−３と電源端子ユニット１０２−４との間、具体的には、電源端子ユニット１０２−３の端子保持部３０１と電源端子ユニット１０２−４の端子保持部３０１との間には、該端子保持部に沿って貫通する間隙３０６が設けられている。すなわち、電源端子ユニット１０２−３の電源端子と電源端子ユニット１０２−４の電源端子との間には、電源端子ユニット１０２−３の端子保持部３０１の外周壁の１つである絶縁壁３０１ａ及び電源端子ユニット１０２−４の端子保持部３０１の外周壁の１つである絶縁壁３０１ａが配置され、これらの絶縁壁３０１ａの間には、貫通して外部に連通する間隙３０６が形成されている。換言すれば、電源端子ユニット１０２−３の電源端子と電源端子ユニット１０２−４の電源端子との間には、電源端子ユニット１０２−３の端子保持部３０１の絶縁壁３０１ａと電源端子ユニット１０２−４の端子保持部３０１の絶縁壁３０１ａとにより構成された絶縁壁が配置されており、この絶縁壁には、貫通して外部に連通する間隙３０６が形成されている。この間隙３０６は、一例として、各端子保持部３０１に沿って該端子保持部の前端Ｋから後端Ｌにわたって貫通している。
また、好ましくは、この間隙３０６は、電源端子を囲む端子保持部３０１の大きさに対応する大きさを有する。具体的にいえば、この間隙３０６の高さは、端子保持部３０１の高さ（すなわち端子保持部３０１の絶縁壁３０１ａの高さ）と略同一にすることができる。すなわち、好ましくは、電源端子ユニット１０２−３の側面と電源端子ユニット１０２−４の側面との間に挟まれる略すべての空間を間隙３０６とすることができる。これにより、端子保持部３０１（の絶縁壁３０１ａ）の高さを大きくするほど、間隙３０６の高さも大きくなる。
図４（ｂ）及び図５（ｂ）には示していないが、電源端子ユニット１０２−１の端子保持部３０１と電源端子ユニット１０２−２の端子保持部との間にも、同様に、該端子保持部に沿って貫通する間隙が設けられている。すなわち、電源端子ユニット１０２−１の電源端子と電源端子ユニット１０２−２の電源端子との間にも、電源端子ユニット１０２−１の端子保持部３０１の外周壁の１つである絶縁壁３０１ａと電源端子ユニット１０２−２の端子保持部３０１の外周壁の１つである絶縁壁３０１ａとにより構成された絶縁壁が配置されており、この絶縁壁には、貫通して外部に連通する間隙が形成されている。
なお、電源端子部１０２を収容するハウジング１０１ａの両端は、図３（ｂ）及び図５（ｂ）に示すように、開放されている（外部と連通している）ので、電源端子部１０２における間隙もまた、外部と連通していることが明らかである。
【００１７】
次に、第２コネクタ２００に着目すると、図３（ａ）及び図５（ａ）に示すように、電源端子部２０２における電源端子ユニット２０２−１〜電源端子ユニット２０２−４の各々は、一端（前端Ｍ）から他端（後端Ｎ）に延びる絶縁材料により形成された中空の端子保持部３１０と、この端子保持部３１０により保持及び収容される電源端子と、を含む。端子保持部３１０は、電源端子を囲むハウジングに相当する。各電源端子ユニットの電源端子は、幅広な接触部を有するコンタクト３１１と、後端Ｎから端子保持部３１０の内部に入るケーブル（図示せず）をコンタクト３１１に機械的電気的に接続するカシメ部３１２と、を含む。各電源端子ユニットの端子保持部３１０は、前端Ｍ付近において、第１コネクタの対応する電源端子ユニットの端子保持部３０１を受け入れて収容する収容領域３１３を有する。
【００１８】
図４（ａ）及び図５（ａ）に示す（部分的に図２に示す）ように、電源端子ユニット２０２−３と電源端子ユニット２０２−４との間、具体的には、電源端子ユニット２０２−３の端子保持部３１０と電源端子ユニット２０２−４の端子保持部３１０との間には、該端子保持部に沿って貫通する間隙３１４が設けられている。すなわち、電源端子ユニット２０２−３と電源端子ユニット２０２−４との間には、電源端子ユニット２０２−３の端子保持部３１０の外周壁の１つである絶縁壁３１０ａ及び電源端子ユニット２０２−４の端子保持部３１０の外周壁の１つである絶縁壁３１０ａが配置され、これらの絶縁壁３１０ａの間には、貫通して外部に連通しかつ第１コネクタ１００に形成された間隙３０６に連通する間隙３１４が形成されている。換言すれば、電源端子ユニット２０２−３の電源端子と電源端子ユニット２０２−４の電源端子の間には、電源端子ユニット２０２−３の端子保持部３１０の絶縁壁３１０ａと電源端子ユニット２０２−４の端子保持部３１０の絶縁壁３１０ａとにより構成された絶縁壁が配置されており、この絶縁壁には、貫通して外部に連通する間隙３１４が形成されている。この間隙３１４は、一例として、各端子保持部３１０に沿って該端子保持部の前端Ｍから後端Ｎにわたって貫通している。
また、好ましくは、この間隙３１４は、電源端子を囲む端子保持部３１０の大きさに対応する大きさを有する。具体的にいえば、この間隙３１４の高さは、各電源端子ユニットの端子保持部３１０の高さ（すなわち端子保持部３１０の絶縁壁３１０ａの高さ）と略同一にすることができる。すなわち、好ましくは、電源端子ユニット２０２−３の側面と電源端子ユニット２０２−４の側面との間に挟まれる略すべての空間を間隙３１４とすることができる。これにより、端子保持部３１０（の絶縁壁３１０ａ）の高さを大きくするほど、間隙３１４の高さも大きくなる。
図４（ａ）及び図５（ａ）には示していないが、電源端子ユニット２０２−１と電源端子ユニット２０２−２との間にも、同様に、該端子保持部に沿って貫通する間隙が設けられている。すなわち、電源端子ユニット２０２−１の電源端子と電源端子ユニット２０２−２の電源端子との間にも、電源端子ユニット２０２−１の端子保持部３１０の外周壁の１つである絶縁壁３１０ａと電源端子ユニット２０２−２の端子保持部３１０の外周壁の１つである絶縁壁３１０ａとにより構成された絶縁壁が配置されており、この絶縁壁には、貫通して外部に連通する間隙が形成されている。
なお、電源端子部２０２を収容するハウジング２０１ａの両端は、図３（ａ）及び図５（ａ）に示すように、開放されている（外部と連通している）ので、電源端子部２０２における間隙３１４もまた、外部と連通していることが明らかである。
【００１９】
上記構成を有する第１コネクタ１００と第２コネクタ２００とが係合した状態が、図３（ｃ）、図４（ｃ）及び図５（ｃ）に示されている。図３（ｃ）及び図５（ｃ）に示すように、第１コネクタ１０１の１０１ａと第２コネクタ２０２のハウジング２０１ａとが係合している。このような係合状態において、第２コネクタ２００の電源端子ユニット２０２−１〜２０２−４の各々は、第１コネクタ１００の電源端子ユニット１０２−１〜１０２−４のうちの対応する電源端子ユニットの端子保持部３０１を、収容領域３１３において受け入れて収容する。
第２コネクタ２００の各電源端子ユニットのコンタクト３１１は、第１コネクタ１００における対応する電源端子ユニットの開口部３０５からこの電源端子ユニットの端子保持部３０１の内部に入ってコンタクト３０２と電気的に接続される。この状態において、この第２コネクタ２００の各電源端子ユニットのコンタクト３１１は、コンタクト３０２とこのコンタクト３０２に設けられた弾性部３０３とによって挟持される。
【００２０】
図１及び図４（ｃ）及び図５（ｃ）に示すように、このような第１コネクタ１００と第２コネクタ２００とが係合した状態にあって、第１コネクタ１００の電源端子ユニット１０２−３と電源端子ユニット１０２−４との間に設けられた間隙３０６は、第２コネクタ２００の電源端子ユニット２０２−３と電源端子ユニット２０２−４との間に設けられた間隙３１４と連通している。すなわち、第１コネクタ１００の電源端子ユニット１０２−３の電源端子と電源端子ユニット１０２−４の電源端子との間に配置された絶縁壁（この絶縁壁は、上述したように、電源端子ユニット１０２−３の端子保持部３０１の絶縁壁３０１ａと電源端子ユニット１０２−４の端子保持部３０１の絶縁壁３０１ａとにより構成される）に形成された間隙３０６は、第２コネクタ２００の電源端子ユニット２０２−３の電源端子と電源端子ユニット２０２−４の電源端子との間に配置された絶縁壁（この絶縁壁は、上述したように、電源端子ユニット２０２−３の端子保持部３１０の絶縁壁３０１ａと電源端子ユニット２０２−４の端子保持部３１０の絶縁壁３１０ａとにより構成される）に形成された間隙３１４に連通している。
これらの図面には示していないが、第１コネクタ１００の電源端子ユニット１０２−１電源端子ユニット１０２−２との間に配置された絶縁壁に形成された間隙もまた、同様に、第２コネクタ２００の電源端子ユニット２０２−１と電源端子ユニット２０２−２との間に配置された絶縁壁に形成された間隙と連通している。
【００２１】
これにより、第１コネクタ１００のハウジング１０１ａに収容された電源端子部１０２及び第２コネクタ２００のハウジング２０１ａに収容された電源端子部２０２において発生した熱（特に、カシメ部３０４、コンタクト３０２、弾性部３０３、コンタクト３１１、カシメ部３１２に流れる電流により発生した熱）は、ハウジング１０１ａ及びハウジング２０１ａの内部にこもることなく、間隙３０６又は間隙３１４を介して、ハウジング１０１ａ及びハウジング２０１ａの外部に移動することができる。よって、ハウジング１０１ａ及びハウジング２０１ａ内の温度が上昇する事態が避けられる。
【００２２】
さらに、複数の特定の電源端子の間には、樹脂等の絶縁物により構成された絶縁壁が配置され、この絶縁壁には貫通して外部に連通する間隙が設けられている。すなわち、複数の特定の電源端子の間は、樹脂等の絶縁物により完全に遮断されているのではなく、これら複数の特定の電源端子の間には、絶縁壁が配置されており、この絶縁壁には該特定の電源端子に沿った空気の領域が配置されている。一般的に、２つの電源端子の間に絶縁物が介在するよりも空気の領域が介在する方が、これら２つの電源端子の絶縁強度が大きくなる。よって、本実施の形態によれば、複数の電源端子の間における絶縁強度（耐電圧）をより大きくすることもできる。
【００２３】
さらには、第１コネクタ１００の電源端子部１０２に設けられる間隙３０６の高さは、図１及び図４に示すように、電源端子ユニット（１０２−１〜１０２−４）の高さ、すなわち、端子保持部３０１の絶縁壁３０１ａの高さに対応している。同様に、第２コネクタ２００の電源端子部２０２に設けられる間隙３１４の高さは、図２及び図４に示すように、電源端子ユニット（２０２−１〜２０２−４）の高さ、すなわち、端子保持部３１０の絶縁壁３１０ａの高さに対応している。これにより、両方のコネクタにおいて、大電流を流すために電源端子を大きく構成した場合であっても、その電源端子の高さに従って、間隙の高さも大きくなる。すなわち、より多くの熱を発生しうる大きな電源端子を設けた場合であっても、その電流の大きさに対応した大きな断面積を有する間隙が形成されることになる。したがって、大電流を流すように電源端子を大きく構成した場合であっても、この電源端子から発生した熱を確実に外部に放出することができる。
【００２４】
本実施の形態では、最良の形態として、複数の端子の間に配置される絶縁壁に形成される間隙が、この絶縁壁の前端から後端にわたって貫通する場合について説明した。しかしながら、第１コネクタ（第２コネクタ）における間隙が、この第１コネクタ（第２コネクタ）における複数の電源端子の間に配置された絶縁壁内に設けられ、かつ、貫通して外部に連通するものであるとともに、両方の間隙が互いに連通するものである限りにおいて、各電源端子により生じた熱が上記間隙を介して外部に放出されるとともに、各電源端子間の絶縁強度が高められる、という効果は得られる。
【００２５】
本実施の形態では、第１コネクタ及び第２コネクタに含まれる複数の電源端子の間に配置された絶縁壁に、貫通して外部に連通する間隙を設ける場合について説明してきたが、本発明は、一般的な複数の端子（例えば信号端子等）の間に配置された絶縁壁に、貫通して外部に連通する間隙を設ける場合をも含むものである。しかしながら、本発明は、大きな電流を流す複数の電源端子に適用した場合により顕著な効果を奏するものである。
【００２６】
以上のように、本発明によれば、電気コネクタを構成する一方のコネクタにおいて、複数の第１端子の間に配置される絶縁壁に、貫通して外部に連通する第１間隙が設けられ、他方のコネクタにおいて、複数の第１端子の各々に嵌合する複数の第２端子の間に配置される絶縁壁に、貫通して外部に連通しかつ第１間隙に連通する第２間隙が設けられる。これにより、一方のコネクタにおける第１端子及び他方のコネクタにおける第２端子において発生した熱は、第１間隙又は第２間隙を介して、第１端子及び第２端子の外部に放出される。さらには、第１間隙（第２間隙）を間に挟んで位置する複数の第１端子（第２端子）の間における絶縁強度すなわち耐電圧は、この第１間隙（第２間隙）に満たされる空気の存在によって高められる。したがって、端子間に絶縁強度を確保しつつ温度上昇を抑えることが可能な電気コネクタを提供することができる。
【図面の簡単な説明】
【００２７】
【図１】本発明の一実施形態に係る電気コネクタに含まれる第１コネクタ（雌側コネクタ）の構成を示す斜視図である。
【図２】本発明の一実施形態に係る電気コネクタに含まれる第２コネクタ（雄側コネクタ）の構成を示す斜視図である
【図３】（ａ）図２のＡ−Ａ線に沿った第２コネクタの断面を示す図である。  （ｂ）図１のＡ−Ａ線に沿った第１コネクタの断面を示す図である。  （ｃ）互いに係合した第１コネクタ及び第２コネクタの断面であってそれぞれ図１及び図２のＡ−Ａ線に沿った断面を示す図である。
【図４】（ａ）図２のＢ−Ｂ線に沿った第２コネクタ２００の断面を示す図である。  （ｂ）図１のＢ−Ｂ線に沿った第１コネクタ１００の断面を示す図である。  （ｃ）互いに係合した第１コネクタ１００及び第２コネクタ２００の断面であってそれぞれ図１及び図２のＢ−Ｂ線に沿った断面を示す図である。
【図５】（ａ）図２のＣ−Ｃ線に沿った第２コネクタ２００の断面を示す図である。  （ｂ）図１のＣ−Ｃ線に沿った第１コネクタ１００の断面を示す図である。  （ｃ）互いに係合した第１コネクタ１００及び第２コネクタ２００の断面であってそれぞれ図１及び図２のＣ−Ｃ線に沿った断面を示す図である。
【符号の説明】
【００２８】
１００  第１コネクタ
１０１  ホルダ
１０１ａ  ハウジング
１０２  電源端子部
１０２−１〜１０２−４  電源端子ユニット
３０１  端子保持部
３０１ａ  絶縁壁
３０２  コンタクト
３０３  弾性部
３０４  カシメ部
３０５  開口部
３０６  間隙
２００  第２コネクタ
２０１  ホルダ
２０１ａ  ハウジング
２０２  電源端子部
２０２−１〜２０２−４  電源端子ユニット
３１０  端子保持部
３１０ａ  絶縁壁
３１１  コンタクト
３１２  カシメ部
３１３  収容領域
３１４  間隙
【図１】
2009064611.tif 000003
【図２】
2009064611.tif 000004
【図３】
2009064611.tif 000005
【図４】
2009064611.tif 000006
【図５】
2009064611.tif 000007